(57)【要約】【課題】  ネットワーク経由で取得した情報とは異なるスケジュールデータの設定入力操作を簡略化できる携帯情報端末を提供する。【解決手段】  携帯情報端末において、撮像部と、撮像部からの画像データを解析し、スケジュールデータを抽出する解析部と、スケジュールデータに基づいて報知動作を行う報知部とを備える。【選択図】図１
2009218771.tif 000002
【特許請求の範囲】
【請求項１】
携帯情報端末において、
撮像手段と、
前記撮像手段からの画像データを解析し、スケジュールデータを抽出する解析手段と、
前記スケジュールデータに基づいて報知動作を行う報知手段と、を備えることを特徴とする携帯情報端末。
【請求項２】
前記報知手段が、前記スケジュールデータに基づいて擬似電子メールを作成し、擬似受信した状態を発生させる擬似メール作成手段であることを特徴とする請求項１に記載の携帯情報端末。
【請求項３】
電子メール送受信手段を備え、
前記擬似メール作成手段が、前記電子メール送受信手段を用いて前記擬似電子メールを作成させ、擬似受信状態を発生させることを特徴とする請求項２に記載の携帯情報端末。
【請求項４】
前記擬似電子メールの作成に関する各種条件を設定する設定手段を備えることを特徴とする請求項２又は３に記載の携帯情報端末。
【請求項５】
携帯電話機であることを特徴とする請求項１乃至４のいずれか一つに記載の携帯情報端末。
【請求項６】
コンピュータを、
撮像手段からの画像データを解析し、スケジュールデータを抽出する解析手段、及び
前記スケジュールデータに基づいて報知動作を行う報知手段、として機能させるためのプログラム。
【請求項７】
前記コンピュータを前記報知手段として機能させるために、
前記スケジュールデータに基づいて擬似電子メールを作成し、擬似受信した状態を発生させる擬似メール作成手段として機能させるためのプログラム。
【請求項８】
携帯情報端末を用いたスケジュール管理方法において、
撮像手段からの画像データを解析し、スケジュールデータを抽出するステップと、
前記スケジュールデータに基づいて報知動作を行うステップと、を備えることを特徴とするスケジュール管理方法。
【請求項９】
前記報知動作を行うステップが、前記スケジュールデータに基づいて擬似電子メールを作成し、擬似受信した状態を発生させるステップを含むことを特徴とするスケジュール管理方法。
【発明の詳細な説明】
【技術分野】
【０００１】
本発明は、携帯電話機等の携帯情報端末に関し、特に、携帯情報端末を用いたスケジュール管理に関するものである。
【背景技術】
【０００２】
携帯情報端末の高性能化に伴い、スケジュール管理機能部を備えるものが開発されている。この種のスケジュール管理機能部は、通常、手動入力によりアラームや振動などの報知動作選択や報知時刻の設定などを行うよう構成されている。このため、入力設定操作を簡易にすることが望まれている。
【０００３】
第１の関連する携帯情報端末は、受信した電子メールの内容から時間情報を抽出し、抽出した時間情報に基づいて報知を行うよう構成されている（例えば、特許文献１参照）。これにより、スケジュール管理すべき情報を受信メールにより入手した場合には、入力設定操作が大幅に簡略化されることになる。
【０００４】
また、第２の関連する携帯情報端末は、インターネットを通じて取得した電子チケットの日時情報に基づいて報知を行うように構成されている（例えば、特許文献２参照）。したがって、この携帯情報端末では、インターネット経由で入手した電子チケットに関するスケジュール管理については、入力設定操作を大幅に簡略化することができる。
【０００５】
さらに、第３の関連する携帯情報端末は、受信した電子メールに対して返信が必要であり、その返信を後に（後日）行おうとする場合に、報知に代えて、電子メールを作成して擬似受信するように構成されている（例えば、特許文献３参照）。この携帯情報端末では、電子メール受信時に、スケジュール管理機能部を別途起動することなく報知動作に代わる動作の設定入力を行うことができる。
【０００６】
【特許文献１】特開２００３−１０８５０１
【特許文献２】特開２００６−３３０７８１
【特許文献３】特開２００５−２９３０４９
【発明の開示】
【発明が解決しようとする課題】
【０００７】
関連する携帯情報端末は、いずれも、電子メールの受信やインターネット経由での電子チケット入手といったネットワーク経由で取得した情報に関してのみスケジュール管理の入力設定を簡略化することができる。つまり、関連する携帯情報端末には、ネットワーク経由で取得したデータ以外のスケジュールデータに関しては、入力設定の簡略化を図ることができないという問題点がある。
【０００８】
そこで、本発明は、ネットワーク経由で取得した情報とは異なるスケジュールデータの設定入力操作を簡略化できる携帯情報端末を提供することを目的とする。
【課題を解決するための手段】
【０００９】
本発明は、携帯情報端末において、撮像手段と、前記撮像手段からの画像データを解析し、スケジュールデータを抽出する解析手段と、前記スケジュールデータに基づいて報知動作を行う報知手段と、を備えることを特徴とする。
【発明の効果】
【００１０】
本発明によれば、撮像手段からの画像データを解析してスケジュールデータを抽出し、抽出したスケジュールデータに基づいて報知動作を行うようにしたことで、ネットワーク経由で取得した情報とは異なるスケジュールデータの設定入力操作を簡略化した携帯情報端末が得られる。
【発明を実施するための最良の形態】
【００１１】
以下、図面を参照して本発明の実施の形態について詳細に説明する。
【００１２】
図１は、本発明の一実施の形態に係る携帯情報端末である携帯電話機の概略構成を示すブロック図である。なお、図１では、本発明に関係する部分のみを示している。
【００１３】
図１の携帯電話機１０は、撮像手段としてのカメラ１０１と、カメラ１０１からの撮像（画像）データを解析しスケジュールデータを抽出する解析手段としてのカメラ画像Ｉ／Ｏ管理部１０２と、スケジュールデータに基づいて報知動作を行う報知手段としてのスケジュール管理部１０３及びメーラ部１０４とを備える。また、携帯電話機１０は、スケジュールデータを編集し、各種設定を行う設定部としての表示部１０５及び入力部１０６を有する。
【００１４】
カメラ１０１は、例えば、旅行の日程表２０に印刷された旅行日程をコード化したＱＲコード２０１を撮像する。あるいは、日程表２０全体を撮像する。そして、カメラ１０１は、撮像データをカメラ画像Ｉ／Ｏ管理部１０２へ送る。
【００１５】
カメラ画像Ｉ／Ｏ管理部１０２は、カメラ１０１からの撮像データを解析し、スケジュールデータを抽出する。カメラ画像Ｉ／Ｏ管理部１０２は、抽出したスケジュールデータをスケジュール管理部１０３へ送る。
【００１６】
スケジュール管理部１０３は、受け取ったスケジュールデータに基づいて、メーラ部１０４に電子メールの作成を指示する。
【００１７】
メーラ部１０４は、スケジュール管理部１０３からの指示に従い、電子メールを作成する。また、メーラ部１０４は、作成した電子メールを受信メールとして取り扱う。つまり、メーラ部１０４は、電子メールを受信したことを報知する。
【００１８】
表示部１０５及び入力部１０６は、スケジュール管理部１０３が管理するスケジュールデータの編集に用いられる。また、表示部１０５及び入力部１０６は、携帯電話機１０の各種機能を操作するためにも使用される。
【００１９】
以下、携帯電話機１０の動作について図２をも参照して説明する。
【００２０】
まず、ユーザは携帯電話機１０のカメラ１０１を用いてスケジュール管理しようとする情報が記載、印刷等されている対象物（パンフレット等）を撮像する。携帯電話機１０の内部処理を軽減するため、対象物は、スケジュールデータをコード化したＱＲコード等であることが望ましい。しかしながら、携帯電話機１０が文字認識機能を備えているのであれば、文字情報であってもよい。カメラ１０１で撮像した画像を表す撮像データは、カメラ画像Ｉ／Ｏ管理部１０２へ送られる。
【００２１】
カメラ画像Ｉ／Ｏ管理部１０２は、カメラ１０１から送られてきた撮像データからスケジュールデータを抽出する。撮像データがＱＲコード等のコード情報であればデコードを行ってスケジュールデータを得る。また、コード情報でない場合は、文字認識機能により、日付、時刻などを表す時間情報と、これら時間情報に密接に関連すると判定された情報（例えば、時間情報の直後に配置された文字）をスケジュールデータとして抽出する。抽出されたスケジュールデータは、スケジュール管理部１０３へ送られる。
【００２２】
スケジュール管理部１０３は、カメラ画像Ｉ／Ｏ管理部１０２から送られてくるスケジュールデータを管理データベースにて管理する。抽出したスケジュールデータが複数の日付や時刻を表す時間情報を含んでいる場合、これら複数の日付や時間は互いに関連付けて管理される。例えば、日程表２０に関するスケジュールデータは、図２に示すように一つのページ１０３１に格納され、他のスケジュールデータ１０３２，１０３３とは区別される。
【００２３】
一つのページに格納されたスケジュールは、特別な設定をしなければ、番号順（先頭から順に）に処理される。したがって、ページ１０３１に格納されたスケジュールに、１日目のスケジュールと２日目のスケジュールが含まれている場合であっても、１日目のスケジュールの処理が終了しなければ、２日目のスケジュールの処理は行われない。このため、各項目の先頭には処理済フラグ欄が設けられている。
【００２４】
一方、各ページのスケジュールの処理は、他のページの処理から独立して行われる。したがって、ページ１０３１に含まれるスケジュールとは別のスケジュール（例えば、１２：３０に○○さんに電話するなど。）が存在する場合でも、報知動作を行わせることができる。
【００２５】
スケジュール管理部１０３は、各ページのスケジュールのうち、処理済フラグが立っていないスケジュールのうちの先頭のスケジュールの時刻と、現在の時刻とを比較する。これらの時刻が一致すると、スケジュール管理部１０３は、メーラ部へスケジュールデータを送る。図２の例では、時刻情報しか示していないが、日付情報を含ませることにより、出発日前にスケジュールデータを登録したり、２日目のスケジュールと３日目のスケジュールを登録後に入れ替えたり、といった操作が可能になる。この様な操作は、表示部１０５及び入力部１０６を用いて行うことができる。
【００２６】
スケジュール管理部１０３がメーラ部１０４へ送るスケジュールデータは、該当項目のみを送るようにしてもよいし、該当項目を含む全ページを送るようにしてもよい。あるいは、該当項目の前後いくつかの項目を送るようにしてもよい。
【００２７】
メーラ部１０４は、スケジュール管理部１０３からのスケジュールデータに基づいて電子メールを作成する。スケジュール管理部１０３から該当項目のみが送られてきた場合は、その該当項目を本文とする電子メールを作成する。該当項目以外の項目も送られてきた場合は、これらを本文とし、さらに該当項目と他の項目とを区別可能にする付加情報（例えば、強調表示）を加えて電子メールを作成する。
【００２８】
メーラ部１０４は、作成した電子メールを受信メールとして取り扱い（ローカルでメール自動受信を行い）、電子メール受信報知動作を行う。
【００２９】
以上のようにして、本実施の形態では、カメラ１０１を介して一括取得した複数のスケジュールを含むスケジュールデータに基づいて報知動作を行うことができる。
【００３０】
このように、本実施の形態では、カメラで撮像した画像からスケジュールデータを抽出するようにしたことで、スケジュールデータの入力設定が簡略化される。特に、ＱＲコード化されるスケジュールデータのフォーマット等を予め定めておけば、読み込み時の編集を不要にできる。
【００３１】
また、本実施の形態では、メーラの機能の一部をスケジューラとして利用するようにしたことで、スケジューラの構成を簡略化することができる。さらに、受信メールにて報知を行うようにしたことで、操作の容易化（スケジューラとメーラの操作の共通化）を図ることができる。
【００３２】
なお、上記実施の形態では、スケジュールデータの時刻と現在の時刻が一致した場合に報知を行うようにしたが、これらが一致するよりも所定時間前（例えば、５分前、あるいは１０分前など）に報知を行うようにしてもよい。この場合、スケジュール管理部１０３は、時刻情報を比較する際に、スケジュールデータの時刻を設定された時間だけ早めてその比較を行う。設定は、表示部１０５及び入力部１０６を介して行われ、設定時間は、管理ＤＢに登録される。
【００３３】
また、カメラ画像Ｉ／Ｏ管理部１０２における画像解析及びスケジュールデータの抽出処理と、スケジュール管理部１０３におけるスケジュールデータの管理と、メーラ部１０４におけるメールの作成処理、擬似受信動作及び報知動作は、コンピュータによって処理可能なプログラムによって実現することができる。
【００３４】
本発明の他の実施の形態による携帯情報端末は、撮像部と、撮像部からの画像データを解析し、スケジュールデータを抽出する解析部と、スケジュールデータに基づいて報知動作を行う報知部とを備えている。
【００３５】
報知部は、スケジュールデータに基づいて擬似電子メールを作成し、擬似受信した状態を発生させる擬似メール作成部であってよい。
【００３６】
また、上記携帯情報端末は、電子メール送受信部を備え、擬似メール作成部が、電子メール送受信部を用いて擬似電子メールを作成させ、擬似受信状態を発生させるようにしてよい。
【００３７】
さらに、上記携帯情報端末は、擬似電子メールの作成に関する各種条件を設定する設定部を備えてよい。
【００３８】
また、本発明の他の実施の形態によるプログラムは、コンピュータを、撮像部からの画像データを解析し、スケジュールデータを抽出する解析手段、及びスケジュールデータに基づいて報知動作を行う報知手段、として機能させる。
【００３９】
上記プログラムは、コンピュータを報知手段として機能させるために、スケジュールデータに基づいて擬似電子メールを作成し、擬似受信した状態を発生させる擬似メール作成手段として機能させるものであってよい。
【００４０】
さらにまた、本発明の他の実施の形態による携帯情報端末を用いたスケジュール管理方法は、撮像部からの画像データを解析し、スケジュールデータを抽出するステップと、スケジュールデータに基づいて報知動作を行うステップと、を備える。
【００４１】
上記スケジュール管理方法において、報知動作を行うステップは、スケジュールデータに基づいて擬似電子メールを作成し、擬似受信した状態を発生させるステップを含んでよい。
【図面の簡単な説明】
【００４２】
【図１】本発明の一実施の形態に係る携帯電話機の概略構成を示すブロック図である。
【図２】図１の携帯電話機の動作を説明するための図である。
【符号の説明】
【００４３】
１０    携帯電話機
２０    日程表
１０１    カメラ
１０２    カメラ画像Ｉ／Ｏ管理部
１０３    スケジュール管理部
１０４    メーラ部
１０５    表示部
１０６    入力部
【図１】
2009218771.tif 000003
【図２】
2009218771.tif 000004